(57)【要約】【課題】静粛性に優れ、水飛沫の発生を抑制でき、しかもマイナスイオン発生の旺盛化を実現する空気清浄機の提供。【手段】空気清浄機は、水Ｗを貯留する貯水槽１と、この貯水槽１の水面レベルから実質的に鉛直上方へ立設した透明仕切板２ｃと、貯水槽１内の水を揚水するポンプ１３を含む水循環部１０と、ポンプ１３により揚水された水Ｗを透明仕切板２ｃの上部から前面側に沿って面状に瀑流させて水面へ落し込む曝流器２０とを備え、水循環部１０は貯水槽１内から水Ｗをラドン発生鉱物収納器１６に通過させてラドンを溶存させて成る。【選択図】      図１
2010169359.tif 000002
【特許請求の範囲】
【請求項１】
水を貯留する貯水槽と、この貯水槽の水面レベルから実質的に鉛直上方へ立設した仕切部材と、前記貯水槽内の水を揚水するポンプを含む水循環部と、前記ポンプにより揚水された水を前記仕切部材の上部からその前面側に沿って面状に瀑流させて前記水面へ落し込む曝流器とを備え、前記水循環部は前記貯水槽内から水をラドン発生鉱物収納器に通過させてラドンを溶存させることを特徴とする空気清浄機。
【請求項２】
請求項１に記載の空気清浄機において、前記水循環部は前記貯水槽内から水をろ過器，消臭剤収納器及び減菌装置に通過させることを特徴とする空気清浄機。
【請求項３】
請求項１又は請求項２に記載の空気清浄機において、前記仕切部材は透明体であって、この仕切部材の背面側に背景スクリーンを配して成ることを特徴とする空気清浄機。
【発明の詳細な説明】
【技術分野】
【０００１】
本発明は、空気清浄機に関し、室内空気を瀑流水の引き込み気流で瀑流水に曝すことにより空気中の微粒子や有害ガスを捕捉溶存させて室内空気を清浄化する空気清浄機に関する。
【背景技術】
【０００２】
特開２００５−１８０８７６に開示の空気洗浄装置は、空気清浄用の水を貯留するタンクと、このタンク内の水を揚水するポンプと、清浄される空気を送風するファンと、ポンプにより揚水された水を流下させる水流下器と、この水流下器からの水をタンクに戻す水回収機構とを備え、清浄される空気を水流下器により流下する水に通過させて洗浄するものである。水流下器はメッシュサイズが異なる２枚の網板を重ねたもので、空気通過の障害となる水膜が形成されるのを防止するようになっている。水回収機構は注がれる水が空気取り入れ口からこぼれるのを防止するための受け口としての水返し材を備えている。
【先行技術文献】
【特許文献】
【０００３】
【特許文献１】特開２００５−１８０８７６（図１）
【発明の概要】
【発明が解決しようとする課題】
【０００４】
上記の空気清浄機においては、ファンにより空気取り入れ口から引き込まれる空気が降り注ぐ流水に対して直交する方向に潜り抜けて洗浄されるものであり、また、水飛沫の発生によりマイナスイオンの発生も期待できる。
【０００５】
しかしながら、水音や水飛沫の発生を伴い、騒音・水漏れ対策の上で室内用の空気清浄機としては不向きである。
【０００６】
上記問題点に鑑み、本発明の課題は、静粛性に優れ、水飛沫の発生を抑制でき、しかもマイナスイオン発生の旺盛化を実現する空気清浄機を提供することにある。
【課題を解決するための手段】
【０００７】
上記課題を解決するため、本発明に係る空気清浄機は、水を貯留する貯水槽と、この貯水槽の水面レベルから実質的に鉛直上方へ立設した仕切部材と、貯水槽内の水を揚水するポンプを含む水循環部と、ポンプにより揚水された水を仕切部材の上部からその前面側に沿って面状に瀑流させて水面へ落し込む曝流器とを備え、水循環部は貯水槽内から水をラドン発生鉱物収納器に通過させてラドンを溶存させることを特徴とする。
【０００８】
仕切部材の上部から前面側に沿って流下する瀑流水はこれに接する引き込み気流（対流）を定常的に発生させているため、室内空気を瀑流水に曝すことができ、空気中の微粒子や有害ガスを捕捉溶存させて水槽に静粛に落とし込むことができる。また水飛沫の発生も抑制できる。更に、ラドン発生鉱物収納器を通過してラドンを含んだ水が面状の瀑流となるため、マイナスイオンの放散が面積的に激増する分、マイナスイオンを室内空間に安定的に供給することができる。
【０００９】
ここで、水循環部においては貯水槽内から水をろ過器，消臭材収納器及び減菌装置に通過させることが望ましい。瀑流水が取り込んだ微粒子や有害ガスを除去するためである。
【００１０】
仕切部材は透明体であって、この仕切部材の背面側に背景スクリーンを配した場合、背景スクリーンに滝などの静止画や動画を映すことにより、滝壺の周りにいる感覚を疑似体験することができ、精神的安らぎも得られる空気清浄機を実現できる。
【発明の効果】
【００１１】
本発明は、静粛性に優れ、水飛沫の発生を抑制でき、しかもマイナスイオン発生の旺盛化を実現する空気清浄機を提供できる。
【図面の簡単な説明】
【００１２】
【図１】本発明に係る空気清浄機の実施例１を示す概略図である。
【図２】実施例１の斜視図である。
【図３】（Ａ）は実施例２の正面図、（Ｂ）は実施例２の右側面図である。
【発明を実施するための形態】
【００１３】
次に、本発明の実施例を添付図面に基づいて説明する。図１は本発明に係る空気清浄機の実施例１を示す概略図、図２は実施例１の斜視図である。
【００１４】
実施例１の空気清浄機は、室内の床上に据え置き可能のスタンドアロン型で、偽石Ｒなどを周壁１ａに巡らして滝壷状に装飾した貯水槽１と、滝の落差を形成するために、貯水槽１の後方側の周壁１ａから一体的に鉛直上方へ立設した迫り上げ壁２を有する。迫り上げ壁２は、左右一対の側壁２ａ，２ｂと、これら側壁２ａ，２ｂ間において貯水槽１の水面レベルから実質的に鉛直上方へ立設した透明仕切板２ｃを有する。また、本例の空気清浄機は、水槽内の水Ｗを揚水するポンプ１３を含む水循環部１０と、ポンプ３により揚水された水Ｗを透明仕切板２ｃの上部からその前面側に沿って面状に瀑流させて水面へ落し込む曝流器２０を有する。
【００１５】
水循環部１０は、貯水槽１内の水Ｗを吸い込み曝流器２０へ水Ｗを吐き出す配管路に沿って、吸込み側バルブ１１，ろ過器１２，ポンプ１３，消臭剤収納器１４，除菌減菌装置１５，ラドン発生鉱物収納器１６及び吐き出し側バルブ１７を順次設けてある。吐き出し側バルブ１７からの水Ｗは側壁２ｂの内側に添って立設する立ち上げ管１８を介して上部の曝流器２０に導かれている。
【００１６】
曝流器２０は側壁２ａ，２ｂ間に横架した散水管であって、その散水管に沿って離散的に設けた多数の散水孔から噴出する水Ｗが滝口として透明仕切板２ｃの前面上部に当り、透明仕切板２ｃの前面を伝って幕状に瀑流し、滝壷の水面に静かに流れ込むようになっている。透明仕切板２ｃの背面側にはフィルム写真２１が重ね合わせ状態で配しており、このフィルム写真２１は透明押え板２２で挟まれている。また、透明押え板２２の後方位置にはバックライドＬが設けられ、フィルム写真２１に対し背後照明できるようになっている。
【００１７】
透明仕切板２ｃの上部からその前面側に沿って流下する幕状の瀑流水はこれに接する引き込み気流（対流）を定常的且つ旺盛に発生させているため、室内空気を瀑流水に曝すことができ、空気中の微粒子や有害ガスを捕捉溶存させて水槽に静粛に落とし込むことができる。また水飛沫の発生も抑制できる。更に、ラドン発生鉱物収納器１６を通過してラドンを含んだ水が幕状の瀑流となるため、マイナスイオンの放散が面積的に激増する分、マイナスイオンを室内空間に安定的に供給できる。
【００１８】
水循環部１０においては貯水槽１内で回収した水Ｗをろ過器１２，消臭剤収納器１４及び殺菌減菌装置１５を通過させてあるため、瀑流水が取り込んだ微粒子・有害ガス・雑菌を除去できる。
【００１９】
加えて、透明仕切板２ｃの背面側にフィルム写真２１が配されているため、滝などの静止画を瀑流の裏に映すことができ、滝壺の周りにいる感覚を疑似体験することができるので、精神的安らぎも得られる。なお、フィルム写真２１が動画スクリーンとしても良い。
【００２０】
図３（Ａ）は空気清浄機の実施例２を示す正面図、図３（Ｂ）は実施例２の右側面図である。なお、図３（Ａ）（Ｂ）において図１，図２に示す部分と同一部分には同一参照符号を付し、その説明は省略する。
【００２１】
実施例１の水循環部１０では配管に吸込み側バルブ１１，ろ過器１２，ポンプ１３，消臭剤収納器１４，除菌減菌装置１５，ラドン発生鉱物収納器１６及び吐き出し側バルブ１７が順次設けられているため、大掛かりな水循環部１０となる分、貯水槽１内に収納し難くなっている。ところが、実施例２の空気清浄機においては、貯水槽１内に水没した水中ラドン発生鉱物収納器１６′，水中ろ過器１２′及び水中ポンプ１３′で水循環部１０′が構成されている。このため、本例の空気清浄機は貯水槽１と迫り上げ壁２の一体化だけで構成でき、フロアー占有面積の削減化に寄与する。この空気清浄機においては、水中ラドン発生鉱物収納器１６′でラドンが水Ｗに溶存し、この水Ｗが水中ろ過器１２′を介して水中ポンプ１３′に吸い込まれた後、立ち上げ管１８を介して曝流器２０に送り込まれ、瀑流となって貯水槽１に戻る。このため、実施例１と同様に、マイナスイオンを室内空間に安定的に充満させることができる。
【００２２】
なお、貯水槽１内の水Ｗとしては、温泉ガスのラドンだけでなく、他の温泉（鉱泉）成分、自然界に有する成分などが含まれるものを利用できる。例えば、オゾン発生器を用いてオゾンを水Ｗに溶存させることにより、瀑流から酸素を発生させるようにしても良い。また、水Ｗを温水とすることにより瀑流から水蒸気が旺盛に発生するため、本例の空気清浄機は加湿器としての機能も持ち得る。
【符号の説明】
【００２３】
１ａ…周壁
１…貯水槽
２…迫り上げ壁
２ａ，２ｂ…側壁
２ｃ…透明仕切板
１０，１０′…水循環部
１１…吸込み側バルブ
１２…ろ過器
１２′…水中ろ過器
１３…ポンプ
１３′…水中ポンプ
１４…消臭剤収納器
１５…除菌減菌装置
１６…ラドン発生鉱物収納器
１６′…水中ラドン発生鉱物収納器
１７…吐き出し側バルブ
１８…立ち上げ管
２０…曝流器
２１…フィルム写真
２２…透明押え板
Ｌ…バックライト
Ｒ…偽石
Ｗ…水
【図１】
2010169359.tif 000003
【図２】
2010169359.tif 000004
【図３】
2010169359.tif 000005